(57)【要約】【課題】  床面の段差や凹凸に対する可撓性ブレードの接地状態の違いを無くして、可撓性ブレードの床面への追従性と、スキージ先端部における可撓性ブレードの床面に対する接地角度の安定性と、スキージに対するガイド車輪の追従性を夫々高めることにより、接地角度の違いに起因する不安定な汚水及びゴミの掻き込み力を改善して、回収性能の高い床面洗浄機等用スキージを提供する。【解決手段】  床面ＦＬから洗浄汚水を吸い取るスキージ１０の全体を略弓型形状に形成し、このスキージ１０を構成する後側可撓性ブレード１３の下端部側を、当該ブレード１３を床面ＦＬに接地させた場合に、エッジ１３Ｔと床面ＦＬとの内角が２０°〜６５°と成るように、スキージ１０の進行方向に湾曲形成する。スキージ１０の中央部上面に開口した通気口１１Ｒを、左右のガイド車輪１６，１６の中心（車軸１５ａ，１５ａ）を結ぶ線上に位置させる【選択図】     図６
2006314662.tif 000002
【特許請求の範囲】
【請求項１】
床面の洗浄汚水やゴミを掻き集めながらブロアーの吸引力により吸い取るよう構成したスキージの全体を、進行方向の中央部に洗浄汚水を収集できるように略弓型形状に屈曲形成した床面洗浄機等用スキージであって、
上記スキージに取付けた前後２枚の可撓性ブレードのうち、少なくとも後側可撓性ブレードの下端部側を、当該後側可撓性ブレードを床面に接地させた場合に、ブレード下端部のエッジと床面との角度が２０°〜６５°の範囲内と成るように、スキージの進行方向に向けて湾曲形成したことを特徴とする床面洗浄機等用スキージ。
【請求項２】
前記後側可撓性ブレードにおける下端部側湾曲形状の半径が、当該可撓性ブレードの板厚の４〜７倍の大きさに構成されていることを特徴とする請求項１に記載の床面洗浄機等用スキージ。
【請求項３】
前記スキージが、
全体が略弓型形状を成し、断面形状が略凹形状に形成されると共に、略弓型に湾曲された前後両側面の長手方向に間隔をあけて複数のクリップ突子を突設したスキージ本体と、
側面の長手方向に間隔をあけて設けたクリップ穴の夫々に、上記のクリップ突子を嵌め込むことによって、上記スキージ本体の前後両側に取付けられる前後２枚の可撓性ブレードと、
全体が細長く形成され、且つ、側面の長手方向に間隔をあけて設けた各クリップ穴の各々に、上記の各クリップ突子を嵌め込むことにより、上記の各可撓性ブレードを中間に挟んだ状態で前記スキージ本体の前後両側面に取付けることができる前後２枚の押え板とによって構成されていることを特徴とする請求項１又は２に記載の床面洗浄機等用スキージ。
【請求項４】
前記後側可撓性ブレードの下端部側に形成されている湾曲形状が、当該可撓性ブレードの上端部側にも上下対称的に形成されていることを特徴とする請求項１、２又は３に記載の床面洗浄機等用スキージ。
【請求項５】
前記略弓型形状に屈曲形成したスキージの左右両側の後方部に、スキージを支える左右のガイド車輪を取り付けると共に、上記スキージの上面中央部に開口した前記ブロアーの吸引用通気口が、これ等左右のガイド車輪の中心を結ぶ線上に位置されていることを特徴とする請求項１、２、３又は４に記載の床面洗浄機等用スキージ。
【発明の詳細な説明】
【技術分野】
【０００１】
本発明は、走行しながらパッド又は回転ブラシを回転して床面を洗浄する床面洗浄機（スクラバー）や、走行しながら床面の洗浄汚水を回収する汚水回収専用機等に用いて好適なスキージに関するものである。
【背景技術】
【０００２】
特許文献１に記載の「床面洗浄機用スキージ」には、全体が略弓型形状に屈曲形成されたスキージが記載されている。   
【０００３】
以上の如く全体を略弓型形状に形成したスキージは、パッド又は回転ブラシが洗浄した後に床面上に残る洗浄汚水やゴミを、中央部寄りに掻き集めて収集しながらブロアーの吸引力によって吸い取るため、全体が直線的に形成されている従来の一般的なスキージに比較して、洗浄汚水やゴミを確実に、且つ、効率よく吸い取ることができる利点を備えている。
【特許文献１】特開平９−２０６２６３号公報
【発明の開示】
【発明が解決しようとする課題】
【０００４】
しかしながら、上記特許文献１に記載の略弓型形状を成すスキージは、弓型に形成されているが故に、以下の如き欠点があった。
【０００５】
即ち、例えば洗浄運転中に床面の段差や、床面の部分的な凹凸等によってスキージが上下動した場合、スキージの中央部とスキージの端部（両端部）とではスキージの上下動の幅に差異が生じることに成るため、可撓性ブレード（スキージゴム）の床面に対する接地状態が異なってくる問題があった。
【０００６】
図１０は、略弓型形状のスキージ（湾曲スキージ）の中央部と端部における可撓性ブレード（スキージゴム）の高さの関係を示したものである。スキージが段差や凹凸のある床面に差し掛かると、スキージ中央部の可撓性ブレードＸ１と端部の可撓性ブレードＸ２との間に凹凸差（ｈ）が発生して、可撓性ブレードＸ１、Ｘ２の接地角度に違いが生じるため、スキージの中央部と端部とでは吸引力に差が生じて、洗浄汚水やゴミを収集する作用（掻き込み力）が一定せず、床面に吸引漏れの汚水が残ってしまう問題があった。
【０００７】
また、上記特許文献１に記載のスキージで使用する可撓性ブレードは、その展開形状を円錐形状の一部を成す形状に構成していることから、剛性が高くて挫屈性に欠けるため、可撓性ブレードを床面に押し付けた場合に撓みにくく、床面の凹凸や段差に対して均一、且つ、柔軟に追従することができず、その結果、床面に吸引漏れの汚水が残ってしまう問題もあった。
【０００８】
更に、上記特許文献１に記載のスキージは、その図２及び図３に記載されているように、スキージの両側後方部に取り付けられている左右のガイド車輪が、スキージの中心位置（図２に示した通気口８の位置）よりも、後方にずれた位置に設けられているため、ガイド車輪の上下量に対してスキージの上下量が一致せず、その結果、ガイド車輪の上下作動量に従ってスキージと床面との接触状態にバラツキが生じて、吸引性能が変化してしまう問題があった。ましてや床面に段差があれば、ガイド車輪の上下変化に対するスキージの床面への接触状態は更に大きな変化をもたらして、正常な吸引運転を維持できなくなる結果を招いていた。
【０００９】
本発明は上述した略弓型形状に形成したスキージが有する欠点を解消するために成されたものであって、その技術的課題は、床面の段差や凹凸に対する可撓性ブレードの接地状態の違いを無くして、可撓性ブレードの床面への追従性と、スキージ先端部における可撓性ブレードの床面に対する接地角度の安定性と、スキージに対するガイド車輪の追従性を夫々高めることにより、接地角度の違いに起因する不安定な汚水及びゴミの掻き込み力を改善して、回収性能の高い床面洗浄機等用スキージを提供することである。
【課題を解決するための手段】
【００１０】
（１）  上記の技術的課題を解決するために、本発明の請求項１に係わる床面洗浄機等用スキージは、床面の洗浄汚水やゴミを掻き集めながらブロアーの吸引力により吸い取るよう構成したスキージの全体を、進行方向の中央部に洗浄汚水を収集できるように略弓型形状に屈曲形成した床面洗浄機等用スキージであって、上記スキージに取付けた前後２枚の可撓性ブレードのうち、少なくとも後側可撓性ブレードの下端部側を、当該後側可撓性ブレードを床面に接地させた場合に、ブレード下端部のエッジと床面との角度が２０°〜６５°の範囲内と成るように、スキージの進行方向に向けて湾曲形成したことを特徴としている。
【００１１】
（２）  また、本発明の請求項２に係わる床面洗浄機等用スキージは、前記後側可撓性ブレードにおける下端部側湾曲形状の半径が、当該可撓性ブレードの板厚の４〜７倍の大きさに構成されていることを特徴としている。
【００１２】
（３）  また、本発明の請求項３に係わる床面洗浄機等用スキージは、前記スキージが、全体が略弓型形状を成し、断面形状が略凹形状に形成されると共に、略弓型に湾曲された前後両側面の長手方向に間隔をあけて複数のクリップ突子を突設したスキージ本体と、側面の長手方向に間隔をあけて設けたクリップ穴の夫々に、上記のクリップ突子を嵌め込むことによって、上記スキージ本体の前後両側に取付けられる前後２枚の可撓性ブレードと、全体が細長く形成され、且つ、側面の長手方向に間隔をあけて設けた各クリップ穴の各々に、上記の各クリップ突子を嵌め込むことにより、上記の各可撓性ブレードを中間に挟んだ状態で前記スキージ本体の前後両側面に取付けることができる前後２枚の押え板とによって構成されていることを特徴としている。
【００１３】
（４）  また、本発明の請求項４に係わる床面洗浄機等用スキージは、当該後側可撓性ブレードの下端部側に形成されている湾曲形状が、後側可撓性ブレードの上端部側にも上下対称的に形成されていることを特徴としている。  
【００１４】
（５）  更に本発明の請求項５に係わる床面洗浄機等用スキージは、前記略弓型形状に屈曲形成したスキージの左右両側の後方部に、スキージを支える左右のガイド車輪を取り付けると共に、上記スキージの上面中央部に開口した前記ブロアーの吸引用通気口が、これ等左右のガイド車輪の中心を結ぶ線上に位置されていることを特徴としている。
【００１５】
上記（１）で述べた手段によれば、可撓性ブレードのエッジ部分を床面に接地させながらスキージを移動させると、床面に段差や凹凸があったとしても、後側可撓性ブレードの下端部側に設けた湾曲部分、即ち、スキージが移動する方向に湾曲した湾曲部が、これ等段差や凹凸に追従して撓むと共に、この湾曲部分の撓みによるクッション作用によって、床面に対する後側可撓性ブレードの先端エッジ部分の接地角度に大きな変化が生じることがなく、その内角を２０°〜６５°の範囲内に維持できるため、洗浄汚水及びゴミを可撓性ブレードが安定した状態で掻き集めて吸引することを可能にする。
【００１６】
また、上記（２）で述べた手段によれば、スキージの後側可撓性ブレードが、その湾曲形状とその板厚とによって、床面に対して撓んだ状態で弾性的に接地すると共に、床面に対する後側可撓性ブレード（エッジ）の接地角度を、所定の範囲に維持することができるため、段差や凹凸面のある床面に対して後側可撓性ブレードが安定した追従性と掻き込み性能を発揮して、優れた汚水及びゴミの回収性能を発揮することができる。
【００１７】
また、上記（３）と（４）で述べた手段によれば、前後２枚の押え板を着脱するだけで、スキージ本体に対する可撓性ブレードの交換作業を極めて簡単に、且つ、効率良く行うことができると共に、後側可撓性ブレードが使用によって摩耗した場合には、押え板の脱着と、後側可撓性ブレードの上下を逆にして付け直す簡単な作業だけで、後側可撓性ブレードを再利用することを可能にする。
【００１８】
更に上記（５）で述べた手段によれば、床面の凹凸変化（上下変化）に対するガイド車輪の上下変化とスキージの上下変化とを同調させて、ガイド車輪が床面の凹凸によって上下に変化したとしても、スキージの床面への接触状態がそれによって変化を来すことが無く、常に均一な吸引状態を維持することを可能にする。
【発明の効果】
【００１９】
以上述べた次第で、本発明に係る床面洗浄機等用スキージによれば、従来の略弓型スキージの欠点を克服して、可撓性ブレードの床面への追従性と、スキージ先端部における床面への接地状態の安定性と、スキージに対するガイド車輪の追従性を夫々高めて、段差や凹凸が有る床面に対して優れた汚水及びゴミの回収能力を発揮できるものであって、可撓性ブレードの交換を簡単に行うことができる利便性と、後側可撓性ブレードを再利用することができる経済性を備える点と相俟って、床面洗浄機や汚水回収専用機等に用いて、頗る有益なものである。
【発明を実施するための最良の形態】
【００２０】
以下に、上述した本発明に係る床面洗浄機等用スキージの実施の形態を図面と共に説明すると、図１は本発明に係るスキージが実施されている床面洗浄機の内部構造を説明した斜視図、第２図はその平面図であって、これ等の図面に於いて、１は洗浄機の機体、１ａは運転用のハンドル、１ｂと１ｃは駆動輪と前輪、２はモータ２Ｍによって回転して床面を洗浄するパッド又は回転ブラシ、３と４は機体１内に搭載した清液又は洗剤液ＣＷ用のタンクと汚水ＤＷ用のタンク、５はポンプ５Ｔの作用によって取入口５ａから取り入れた清液又は洗剤液ＣＷを上記のパッド又は回転ブラシ２に供給する給液パイプを示す。
【００２１】
また、符号１０で全体的に示したのは全体を略弓型形状に形成した本発明に係るスキージであって、機体１の後部に連結されたこのスキージ１０には、吸引パイプ６を通して汚水タンク４内に作用するブロアー６Ｔの吸引力が、先端口９ａよりバキュームホース９を通して及んでいて、この吸引力でパッド又は回転ブラシ２の洗浄回転によって床面上に残った汚水を、上記バキュームホース９を通して汚水タンク４内に吸引回収するように構成されている。また、上述した吸引パイプ６の上端にはフロート弁付きの吸引口６ａが設けられている。
【００２２】
更に図中、７はスキージ１０の上面中央部に取付けた基板、７Ｈはスキージ１０を機体１の後部に連結する連結板、７Ｔは連結板７の連結軸７Ｋを連結する取付軸を示し、また、図１、図２と、図３、図４、図５に示したスキージ１０の拡大された平面図、正面図、底面図に於いて、１１はスキージ１０を構成する略弓型形状のスキージ本体で、このスキージ本体１１は略断面凹形状に形成されている。１１Ｓと１１Ｔはスキージ本体１１の前側面と後側面、１２と１３はこれ等前側面１１Ｓと後側面１１Ｔの夫々に、前後に間隔をあけて取付けた前後２枚の可撓性ブレードで、スキージ本体１１の底面より下側に垂下された前後各可撓性ブレード１２、１３の間隔が、スキージ室１１Ｗ（図５参照）を構成している。
【００２３】
１４Ａと１４Ｂは、上記２枚の可撓性ブレード１２、１３を、上記スキージ本体１１の前側面１１Ｓと後側面１１Ｔに取付ける押え板、１１Ａ…，１１Ｂ…は上記スキージ本体１１の前後両側面１１Ｓ，１１Ｔの長手方向に間隔をあけて突設したクリップ突子であって、各押え板１４Ａ，１４Ｂの上下幅は、図示したように可撓性ブレード１２、１３の上下幅の約１／３と成るように、全体が細長く構成されている。
【００２４】
上記前後２枚の可撓性ブレード１２、１３と、全体を細長く形成した前後２枚の押え板１４Ａ，１４Ｂの夫々には、前記各クリップ突子１１Ａ…，１１Ｂ…を弾性的に嵌め込むことができるキャッチクリップ式のクリップ穴（図示省略）が、長手方向に間隔をあけて設けられていて、これ等各クリップ突子１１Ａ…，１１…Ｂに各クリップ穴を嵌め込むようにして、先ず前後の可撓性ブレード１２、１３を取付けた後、これ等各可撓性ブレード１２、１３を上から押さえるように各押え板１４Ａ，１４Ｂを取付けることにより、各可撓性ブレード１２、１３をスキージ本体１１の前後の側面１１Ｓ，１１Ｔに取付けることができ、また、各押え板１４Ａ，１４Ｂを外すことにより、簡単に２枚の可撓性ブレード１２、１３の脱着（交換）が行える仕組みに成っている。
【００２５】
上記の可撓性ブレード１２、１３は、優れた耐久性と柔軟性を備えた例えばポリエーテル系ウレタンゴムが使用され、また、押え板１１Ｓ，１１Ｔは弾性を備えた金属板（例えばバネ板）や合成樹脂板が使用されるが、これ等の材料はいずれも実施の一例であることは勿論である。
【００２６】
更に図中、１５，１５はボルト１５ｂ、１５ｂを用いてスキージ１０の左右両端部側の後方部に回動自在に取付けた車輪カバーで、これ等両カバー１５，１５の内部には車軸１５ａ，１５ａによってスキージ１０を支持する左右のガイド車輪１６，１６が回転自在に取付けられている。また、１７，１７は左右のガイドホイール、７Ｘ，７Ｘは前述した基板７をスキージ１０の中央部に取付けるボルト、８は前述したバキュームホース９を接続する通気筒で、バキュームホース９を通して作用される前記ブロアー６Ｔの吸引力は、この通気筒８からスキージ本体１１の中央部上面に開口した通気口１１Ｒを通して、前記前後の可撓性ブレード１２、１３の間隔内、即ち、前記スキージ室１１Ｗ内に及ぶ仕組みに成っている。
【００２７】
そして本発明では、上記スキージ本体１１の中央部上面に開口した通気口１１Ｒを、上記左右のガイド車輪１６，１６の中心（車軸１５ａ，１５ａ）を結ぶ線上に位置させることにより、床面の凹凸変化（上下変化）に対するガイド車輪１６，１６の上下変化とスキージ１０の上下変化とを同調させて、ガイド車輪１６，１６が床面の凹凸によって上下に変化したとしても、スキージ１０の床面への接触状態がそれによって変化を来すことが無く、常に均一な吸引状態を維持することができるように構成している。
【００２８】
次に、図６は本発明の要部を拡大して示した断面図であって、図中、１３Ａは前記後側可撓性ブレード１３の下端部に形成した湾曲部を示す。この湾曲部１３Ａはその下端をスキージ１０の進行方向に向けて湾曲（屈曲）させることによって構成されており、更に、この後側可撓性ブレード１３を図示したように床面ＦＬに対して撓ました状態で接地させた時に、その先端内側のエッジ１３Ｔと床面ＦＬとの接地角度（内角）が、２０°〜６５°の範囲内と成るように構成し、更に、上記湾曲部１３Ａが形成される湾曲形状（円形）の半径が、可撓性ブレード１３の板厚の４〜７倍と成るように構成されている。
【００２９】
図７は、モデル汚れとしてファイバー試料を用いたゴミの回収実験におけるスキージ接地角度、即ち、床面ＦＬに対する後側可撓性ブレード１３の下端エッジ１３Ｔとの接地角度と、ゴミとしてのファイバー残数との関係を示したグラフであって、図示の実験データから、接地角度が２０°〜６５°が最も安定した状態でゴミ（洗浄汚水）を床面ＦＬから回収できることが判明した。
【００３０】
次に、図８は床面ＦＬの凹凸に対するスキージゴム（可撓性ブレード）の接地角度の変化を、実験による計測に基づいて、スキージゴム中央からの距離（ｍｍ）を横軸線とし、スキージゴムの接地角度を縦軸線として表したグラフであって、図中、Ｅ１は床面ＦＬが凹面である時において、上述の如く湾曲部１３Ａを有し、且つ、その半径を板厚の４〜７倍に構成した本発明の曲型ゴム（後側可撓性ブレード１３）の接地角度の変化を示し、Ｅ２は床面ＦＬが凸部である時における上記本発明の曲型ゴムの接地角度の変化を示す。また、Ｆ１は床面ＦＬが凹部である時の従来の直型ゴムにおける接地角度の変化を示し、Ｆ２は床面ＦＬが凸部である時における直型ゴムの接地角度を示す。
【００３１】
図９は、図８のＡ，Ｂ，Ｃ，Ｄの各点、及び、スキージ中央部におけるスキージゴムの接地角度の変化を、具体的に図解したものである。その結果、約４５°の接地角度で設計した時は、±２ｍｍの床面ＦＬの凹凸に対して、本発明の湾曲部１３Ａを有する曲型の後側可撓性ブレード１３を用いるスキージは、５２°〜３９°の接地角度範囲で追従できるのに対し、従来の直型ゴムを使用するスキージでは、６５°〜１５°と接地角度が大きく変化することが判明した。
【図面の簡単な説明】
【００３２】
【図１】本発明に係るスキージを備えた床面洗浄機の内部構造を説明した斜視図。
【図２】図１に示した床面洗浄機の平面図。
【図３】本発明に係るスキージを拡大して示した平面図。
【図４】本発明に係るスキージを拡大して示した正面図。
【図５】本発明に係るスキージを拡大して示した底面図。
【図６】本発明に係るスキージの要部を拡大して示した断面図。
【図７】モデル汚れを用いたゴミの回収実験のデータを示したグラフ。
【図８】実験により計測した本発明に係るスキージゴム（可撓性ブレード）と従来のスキージゴムの接地角度を示したグラフ。
【図９】図８に示したＡ，Ｂ，Ｃ，Ｄの各点とスキージ中央部における床面の凹凸に対するスキージ接地角度の変化を示した説明図。
【図１０】従来のスキージゴム高さの変化を説明した説明図。
【符号の説明】
【００３３】
１            床面洗浄機の機体
６Ｔ          ブロアー
１０          略弓型形状のスキージ
１１          スキージ本体
１１Ａ，１１Ｂ        クリップ突子
１１Ｒ        通気口
１２          前側可撓性ブレード
１３          後側可撓性ブレード
１３Ａ        湾曲部
１３Ｔ        エッジ
１４Ａ，１４Ｂ        押え板
１５ａ       車軸
１６          ガイド車輪
ＦＬ          床面
【図１】
2006314662.tif 000003
【図２】
2006314662.tif 000004
【図３】
2006314662.tif 000005
【図４】
2006314662.tif 000006
【図５】
2006314662.tif 000007
【図６】
2006314662.tif 000008
【図７】
2006314662.tif 000009
【図８】
2006314662.tif 000010
【図９】
2006314662.tif 000011
【図１０】
2006314662.tif 000012